(57)【特許請求の範囲】
【請求項１】
液体が貯留される液体貯留室、鉛直方向と交差する第１方向における上記液体貯留室の一端を画定し且つ上記液体貯留室内の液体が外部から視認可能な立壁、及び上記液体貯留室に液体を注入するために上記立壁を貫通した注入口を有するタンクと、
上記液体貯留室に貯留された液体を消費する液体消費部と、
上記第１方向において上記立壁と対向して設けられており、上記立壁を被覆するカバーと、を備える液体消費装置であって、
上記カバーは、
上記立壁のうちの上記注入口の下端を通り且つ鉛直方向に延びる仮想線を含む領域を、該液体消費装置の外部から視認不能にする非透過部と、
上記立壁のうちの上記仮想線に対して鉛直方向及び上記第１方向に直交する第２方向にずれた領域を、該液体消費装置の外部から視認可能にする透過部と、を有しており、
上記透過部は、上記立壁のうちの上記注入口の下端を通り且つ鉛直方向に延びる仮想線を含む領域に設けられていない液体消費装置。
【請求項２】
液体が貯留される液体貯留室、鉛直方向と交差する第１方向における上記液体貯留室の一端を画定し且つ上記液体貯留室内の液体が外部から視認可能な立壁、及び上記液体貯留室に液体を注入するために上記立壁を貫通した注入口を有するタンクと、
上記液体貯留室に貯留された液体を消費する液体消費部と、
上記第１方向において上記立壁と対向して設けられており、上記立壁を被覆するカバーと、を備える液体消費装置であって、
上記カバーは、
上記立壁のうちの上記注入口の下端を通り且つ鉛直方向に延びる仮想線を含む領域を、該液体消費装置の外部から視認不能にする非透過部と、
上記立壁のうちの上記仮想線に対して鉛直方向及び上記第１方向に直交する第２方向にずれた領域を、該液体消費装置の外部から視認可能にする透過部と、を有しており、
上記透過部は、上記第２方向における上記注入口の端部を通り且つ鉛直方向に延びる仮想線を跨ぐ上記立壁の領域を、該液体消費装置の外部から視認可能にする液体消費装置。
【請求項３】
液体が貯留される液体貯留室、鉛直方向と交差する第１方向における上記液体貯留室の一端を画定し且つ上記液体貯留室内の液体が外部から視認可能な立壁、及び上記液体貯留室に液体を注入するために上記立壁を貫通した注入口を有するタンクと、
上記液体貯留室に貯留された液体を消費する液体消費部と、
上記第１方向において上記立壁と対向して設けられており、上記立壁を被覆するカバーと、
液体を収容可能な液体収容部と、を備える液体消費装置であって、
上記カバーは、
上記立壁のうちの上記注入口の下端を通り且つ鉛直方向に延びる仮想線を含む領域を、該液体消費装置の外部から視認不能にする非透過部と、
上記立壁のうちの上記仮想線に対して鉛直方向及び上記第１方向に直交する第２方向にずれた領域を、該液体消費装置の外部から視認可能にする透過部と、を有しており、
上記液体収容部は、上記注入口の下方で、上記第１方向における上記立壁及び上記カバーの間で、且つ上記非透過部と対向する位置に設けられている液体消費装置。
【請求項４】
上記透過部は、上記第２方向における上記注入口の端部を通り且つ鉛直方向に延びる仮想線を跨ぐ上記立壁の領域を、該液体消費装置の外部から視認可能にする請求項１または３に記載の液体消費装置。
【請求項５】
該液体消費装置は、上記注入口の下方で、上記第１方向における上記立壁及び上記カバーの間で、且つ上記非透過部と対向する位置に設けられており、液体を収容可能な液体収容部を備える請求項１または４に記載の液体消費装置。
【請求項６】
上記液体収容部には、液体を吸収する液体吸収部材が充填されている請求項３または５に記載の液体消費装置。
【請求項７】
上記透過部は、鉛直方向に連続している請求項１から６のいずれかに記載の液体消費装置。
【請求項８】
上記透過部は、
上記カバーを上記第１方向に貫通する開口と、
光透過性の材料で形成されており、上記開口を閉塞する透過部材と、で構成されている請求項１から７のいずれかに記載の液体消費装置。
【請求項９】
上記立壁と上記透過部材とは、上記第１方向において互いに離間している請求項８に記載の液体消費装置。
【請求項１０】
上記透過部材は、上記立壁と対面する上記カバーの内面と反対側の上記カバーの外面において、上記開口の周縁に貼付された薄膜である請求項９に記載の液体消費装置。
【請求項１１】
上記カバーは、上記立壁を被覆する被覆位置と、上記注入口を該液体消費装置の外部に露出させる露出位置と、に移動可能に構成されている請求項１から１０のいずれかに記載の液体消費装置。
【請求項１２】
液体消費部に供給するための液体が貯留される液体貯留室、鉛直方向と交差する第１方向における上記液体貯留室の一端を画定する立壁、及び上記液体貯留室に液体を注入するために上記立壁を貫通した注入口を備えるタンクであって、
上記立壁は、
鉛直方向に沿って立設され且つ上記液体貯留室内の液体が外部から視認可能な基壁と、
上記基壁の上端において上記基壁と連続し且つ上記液体貯留室側に傾斜した傾斜壁と、で構成されており、
上記傾斜壁には、上記注入口が設けられており、
該タンクの外部に面する上記傾斜壁の外面は、上記注入口及び上記基壁の間において、上方に向かって上記液体貯留室側に単調に傾斜しており、
上記基壁には、上記注入口の下端を通り且つ鉛直方向に延びる仮想線に対して鉛直方向及び上記第１方向に直交する第２方向にずれた位置に、上記液体貯留室に貯留される液体に関する情報を示す指示部が設けられており、
上記液体貯留室は、第１貯留室及び第２貯留室に区画されており、
上記傾斜壁には、上記第１貯留室に液体を注入するための第１注入口と、上記第２貯留室に液体を注入するための第２注入口とが、上記第２方向に離間して設けられており、
上記指示部は、上記第１注入口の下端を通り且つ鉛直方向に延びる第１仮想線と、上記第２注入口の下端を通り且つ鉛直方向に延びる第２仮想線との間において、上記基壁に設けられているタンク。
【請求項１３】
上記指示部は、上記液体貯留室に貯留された液体の量を示すために上記第２方向に延びる目盛り線である請求項１２に記載のタンク。
【請求項１４】
液体消費部に供給するための液体が貯留される液体貯留室、鉛直方向と交差する第１方向における上記液体貯留室の一端を画定する立壁、及び上記液体貯留室に液体を注入するために上記立壁を貫通した注入口を備えるタンクであって、
上記立壁は、
上記注入口の下端を通り且つ鉛直方向に延びる仮想線を含む領域に、上記液体貯留室内の液体を該タンクの外部から視認不能にする非透過部と、
上記仮想線に対して鉛直方向及び上記第１方向に直交する第２方向にずれた領域に、上記液体貯留室内の液体を該タンクの外部から視認可能にする透過部と、を有するタンク。
【請求項１５】
上記非透過部の位置における上記立壁の外面は、黒色又は上記液体貯留室に貯留される液体と同系色である請求項１４に記載のタンク。
【発明の詳細な説明】
【技術分野】
【０００１】
本発明は、注入口を通じて液体を補充可能なタンクに関する。
【背景技術】
【０００２】
従来より、注入口を通じて液体を補充可能なタンクが知られている。また、例えば特許文献１には、インク室内のインクを視認可能な視認面と、インク室内のインクの量を示す目盛りとが注入口の下方に形成されたインクタンクが開示されている。上記構成のインクタンクにおいて、ユーザは、視認面を通じて視認されるインクの液面が最大目盛りの位置に到達するまで、注入口を通じてインク室にインクを注入すればよい。
【先行技術文献】
【特許文献】
【０００３】
【特許文献１】特開２０１４−３７０５８号公報
【発明の概要】
【発明が解決しようとする課題】
【０００４】
しかしながら、インク注入時に注入口からこぼれたインクが視認面或いは目盛りに付着すると、視認面或いは目盛りの視認性が低下するという課題がある。特に、特許文献１に記載のインクタンクには、注入口からこぼれたインクを堰き止める堰き止め部が設けられているので、当該堰き止め部から溢れたインクは、視認面或いは目盛りが設けられた領域を広範囲に汚染する可能性がある。
【０００５】
本発明は、上記の事情に鑑みてなされたものであり、その目的は、注入口から液体を注入可能なタンク内部の視認性の低下を抑制した液体消費装置及びインクタンクを提供することにある。
【課題を解決するための手段】
【０００６】
本発明に係る液体消費装置は、液体が貯留される液体貯留室、鉛直方向と交差する第１方向における上記液体貯留室の一端を画定し且つ上記液体貯留室内の液体が外部から視認可能な立壁、及び上記液体貯留室に液体を注入するために上記立壁を貫通した注入口を有するタンクと、上記液体貯留室に貯留された液体を消費する液体消費部と、上記第１方向において上記立壁と対向して設けられており、上記立壁を被覆するカバーとを備える。そして、上記カバーは、上記立壁のうちの上記注入口の下端を通り且つ鉛直方向に延びる仮想線を含む領域を、該液体消費装置の外部から視認不能にする非透過部と、上記立壁のうちの上記仮想線に対して鉛直方向及び上記第１方向に直交する第２方向にずれた領域を、該液体消費装置の外部から視認可能にする透過部とを有する。
【０００７】
上記構成のタンクにおいて注入口からこぼれた液体は、仮想線に沿って立壁を汚染する。そこで、立壁を被覆するカバーのうち、仮想線を含む立壁の領域に対向する部分を非透過部とし、仮想線から第２方向にずれた立壁の領域に対向する部分を透過部とすることにより、液体貯留室の内部の視認性が低下することを抑制できると共に、液体による立壁の汚染を目立たなくすることができる。
【０００８】
本発明の一形態に係るタンクは、液体消費部に供給するための液体が貯留される液体貯留室、鉛直方向と交差する第１方向における上記液体貯留室の一端を画定する立壁、及び上記液体貯留室に液体を注入するために上記立壁を貫通した注入口を備える。上記立壁は、鉛直方向に沿って立設され且つ上記液体貯留室内の液体が外部から視認可能な基壁と、上記基壁の上端において上記基壁と連続し且つ上記液体貯留室側に傾斜した傾斜壁と、で構成されている。上記傾斜壁には、上記注入口が設けられている。該タンクの外部に面する上記傾斜壁の外面は、上記注入口及び上記基壁の間において、上方に向かって上記液体貯留室側に単調に傾斜している。上記基壁には、上記注入口の下端を通り且つ鉛直方向に延びる仮想線に対して鉛直方向及び上記第１方向に直交する第２方向にずれた位置に、上記液体貯留室に貯留される液体に関する情報を示す指示部が設けられている。
【０００９】
上記構成によれば、注入口からこぼれた液体によって指示部が汚染されることを抑制することができる。その結果、指示部の位置において液体貯留室の内部の視認性が低下することを抑制することができる。なお、「基壁と傾斜壁とが連続する」とは、基壁と立壁との間に他の構成要素（例えば、突起、リブ、溝、窪み等）が設けられていないことを指す。また、「上方に向かって液体貯留室側に単調に傾斜する」とは、傾斜壁の外面の傾斜角度が一定であることに限定されない。
【００１０】
例えば、傾斜面の外面が傾斜角度の異なる第１面、第２面、及び第３面を含み、且つ第２面は第１面より基壁から遠く、第３面は第２面より基壁から遠い場合において、第１面及び第２面の接続位置が第２面及び第３面の接続位置より下方に位置することは許容され、第１面及び第２面の接続位置が第２面及び第３面の接続位置より上方に位置することは排除される。すなわち、本実施形態において、傾斜角度の異なる複数の面の接続位置は、基壁から離れるほど上方に位置することになる。
【００１１】
さらに好ましくは、傾斜角度の異なる複数の面によって傾斜壁の外面が構成されている場合において、上方側の面が下方側の面より水平方向に近い傾斜角度となることは許容され、上方側の面が下方側の面より鉛直方向に近い傾斜角度となることは排除される。すなわち、注入口から基壁に至る立壁の外面において、上下方向において隣接する２つの面の境界には、尾根が形成され、谷が形成されない。その結果、注入口及び基壁の間における傾斜壁の外面には、突起、リブ、溝、窪み等、注入口からこぼれた液体が溜まる液体溜まりとなり得る形状が存在しない。
【００１２】
本発明の他の形態に係るタンクは、液体消費部に供給するための液体が貯留される液体貯留室、鉛直方向と交差する第１方向における上記液体貯留室の一端を画定する立壁、及び上記液体貯留室に液体を注入するために上記立壁を貫通した注入口を備える。そして、上記立壁は、上記注入口の下端を通り且つ鉛直方向に延びる仮想線を含む領域に、上記液体貯留室内の液体を該タンクの外部から視認不能にする非透過部と、上記仮想線に対して鉛直方向及び上記第１方向に直交する第２方向にずれた領域に、上記液体貯留室内の液体を該タンクの外部から視認可能にする透過部とを有する。
【００１３】
上記構成によれば、注入口からこぼれた液体によって透過部が汚染されることを抑制することができる。その結果、透過部を通じた液体貯留室の内部の視認性が低下することを抑制することができる。
【発明の効果】
【００１４】
本発明によれば、立壁を被覆するカバーのうち、仮想線を含む立壁の領域に対向する部分を非透過部とし、仮想線から第２方向にずれた立壁の領域に対向する部分を透過部とすることにより、液体貯留室の内部の視認性が低下することを抑制できると共に、液体による立壁の汚染を目立たなくすることができる。
【図面の簡単な説明】
【００１５】
【図１】図１は、複合機１０の外観斜視図であって、（Ａ）はカバー７０が閉じた状態、（Ｂ）はカバー７０が開いた状態を示す。
【図２】図２は、プリンタ部１１の内部構造を模式的に示す縦断面図である。
【図３】図３は、キャリッジ２３及びインクタンク１００の配置を示す平面図である。
【図４】図４は、インクタンク１００の前方斜視図である。
【図５】図５は、インクタンク１００の後方斜視図である。
【図６】図６は、図４のＶＩ−ＶＩにおける断面図である。
【図７】図７は、図４のＶＩＩ−ＶＩＩにおける断面斜視図である。
【図８】図８は、インクタンク１００の右側面図である。
【図９】図９は、（Ａ）が図８のＩＸ（Ａ）−ＩＸ（Ａ）における断面図、（Ｂ）が図８のＩＸ（Ｂ）−ＩＸ（Ｂ）における断面図である。
【図１０】図１０は、被覆位置のカバー７０及びインクタンク１００の縦断面図である。
【図１１】図１１は、露出位置のカバー７０及びインクタンク１００の縦断面図である。
【図１２】図１２は、本実施形態に係るインクタンク１００の正面図である。
【図１３】図１３は、変形例１に係るインクタンク１００の正面図である。
【図１４】図１４は、変形例２に係るインクタンク１００の正面図である。
【発明を実施するための形態】
【００１６】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。すなわち、向きは方向の一成分である。上向き及び下向きは、各々が上下方向７の一成分であって、互いに逆向きである。左向き及び右向きは、各々が左右方向９の一成分であって、互いに逆向きである。前向き及び後ろ向きは、各々が前後方向８の一成分であって、互いに逆向きである。また、本実施形態では、上下方向７が鉛直方向に相当し、前後方向８及び左右方向９が水平方向に相当する。
【００１７】
さらに、複合機１０が使用可能に設置された状態（図１の状態であって、「使用状態」と表記することがある。）若しくは姿勢（図１の姿勢であって、「使用姿勢」と表記することがある。）を基準として上下方向７が定義され、複合機１０の開口１３が設けられている側を手前側（前面）として前後方向８が定義され、複合機１０を手前側（前面）から見て左右方向９が定義される。前後方向８は第１方向の一例であり、左右方向９は第２方向の一例である。
【００１８】
［複合機１０の全体構成］
複合機１０は、図１に示されるように、概ね直方体に形成されている。複合機１０は、ケーシングの下部にインクジェット記録方式で用紙１２（図２参照）に画像を記録するプリンタ部１１を有している。プリンタ部１１は、図２に示されるように、給送部１５と、給送トレイ２０と、排出トレイ２１と、搬送ローラ部５４と、記録部２４と、排出ローラ部５５と、プラテン４２と、インクタンク１００（タンクの一例）とを備えている。また、複合機１０は、ファクシミリ機能及びプリント機能などの各種の機能を有している。複合機１０は、液体吐出装置或いは液体消費装置の一例である。
【００１９】
［給送トレイ２０、排出トレイ２１］
給送トレイ２０は、図１に示されるように、複合機１０の前面で且つ左右方向９の中央部に形成された開口１３を通じて前後方向８にユーザによって複合機１０に対して挿抜される。給送トレイ２０は、積層された複数の用紙１２を支持可能である。排出トレイ２１は、給送トレイ２０の上方に配置されており、給送トレイ２０と共に挿抜される。排出トレイ２１は、排出ローラ部５５によって記録部２４とプラテン４２との間から排出された用紙１２を支持する。
【００２０】
［給送部１５］
給送部１５は、給送トレイ２０に支持された用紙１２を搬送経路６５へ給送する。給送部１５は、図２に示されるように、給送ローラ２５と、給送アーム２６と、軸２７とを備えている。給送ローラ２５は、給送アーム２６の先端側に回転可能に支持されている。給送ローラ２５は、搬送モータ（不図示）の逆転によって、用紙１２を搬送向き１６に搬送する向きに回転する。以下、給送ローラ２５、搬送ローラ６０、及び排出ローラ６２が、用紙１２を搬送向き１６に搬送する向きに回転することを、「正回転」と表記する。給送アーム２６は、プリンタ部１１のフレームに支持された軸２７に回動可能に支持されている。給送アーム２６は、自重或いはバネ等による弾性力によって給送トレイ２０側へ回動付勢されている。
【００２１】
［搬送経路６５］
搬送経路６５は、図２に示されるように、その一部がプリンタ部１１の内部において、所定間隔で対向する外側ガイド部材１８及び内側ガイド部材１９によって形成される空間を指す。搬送経路６５は、給送トレイ２０の後端部からプリンタ部１１の後方側に延びる経路である。また、搬送経路６５は、プリンタ部１１の後方側において下方から上方に延びつつＵターンし、記録部２４とプラテン４２との間の空間を経て排出トレイ２１に至る経路である。搬送ローラ部５４及び排出ローラ部５５の間における搬送経路６５は、図２及び図３に示されるように、左右方向９における複合機１０の概ね中央部に設けられており、且つ前後方向８に延びている。なお、搬送経路６５内における用紙１２の搬送向き１６は、図２において一点鎖線の矢印で示されている。
【００２２】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１を有する。搬送ローラ６０は、搬送モータによって駆動される。ピンチローラ６１は、搬送ローラ６０の回転に伴って連れ回る。用紙１２は、搬送モータの正転によって正回転する搬送ローラ６０及びピンチローラ６１に挟持されて搬送向き１６に搬送される。
【００２３】
［排出ローラ部５５］
排出ローラ部５５は、図２に示されるように、記録部２４より搬送向き１６の下流側に配置されている。排出ローラ部５５は、互いに対向する排出ローラ６２及び拍車６３を有する。排出ローラ６２は、搬送モータによって駆動される。拍車６３は、排出ローラ６２の回転に伴って連れ回る。用紙１２は、搬送モータの正転によって正回転する排出ローラ６２及び拍車６３に挟持されて搬送向き１６に搬送される。
【００２４】
［記録部２４］
記録部２４は、図２に示されるように、搬送向き１６における搬送ローラ部５４及び排出ローラ部５５の間に配置されている。また、記録部２４は、搬送経路６５を挟んでプラテン４２と上下方向７に対向配置されている。すなわち、記録部２４は、搬送経路６５より上下方向７の上方で、且つ搬送経路６５に対面する位置に配置されている。記録部２４は、キャリッジ２３と、記録ヘッド３９（ヘッド或いは液体消費部の一例）とを備えている。
【００２５】
キャリッジ２３は、図３に示されるように、前後方向８に離間する位置において各々が左右方向９に延設されたガイドレール４３、４４に支持されている。ガイドレール４３、４４は、プリンタ部１１のフレームに支持されている。キャリッジ２３は、ガイドレール４４に設けられた公知のベルト機構に連結されている。このベルト機構は、キャリッジモータ（不図示）によって駆動される。すなわち、ベルト機構に連結されたキャリッジ２３は、キャリッジモータの駆動によって左右方向９に往復移動する。キャリッジ２３の移動範囲は、図３の一点鎖線で示されるように、搬送経路６５より左右方向９の右方及び左方にまで及ぶ。
【００２６】
また、キャリッジ２３からは、インクタンク１００及び記録ヘッド３９を接続するインクチューブ３２と、制御部（不図示）が実装された制御基板及び記録ヘッド３９を電気的に接続するフレキシブルフラットケーブル３３とが延出されている。インクチューブ３２は、インクタンク１００に貯留されたインクを記録ヘッド３９に供給する。より詳細には、各色（ブラック、マゼンタ、シアン、イエロー）のインクが流通する４本のインクチューブ３２Ｂ、３２Ｍ、３２Ｃ、３２Ｙ（これらを総称して、「インクチューブ３２」と表記することがある。）がインクタンク１００から延出され、これらが束ねられた状態でキャリッジ２３に接続されている。フレキシブルフラットケーブル３３は、制御部から出力される制御信号を記録ヘッド３９に伝達する。
【００２７】
記録ヘッド３９は、図２に示されるように、キャリッジ２３に搭載されている。記録ヘッド３９の下面には、複数のノズル４０が形成されている。複数のノズル４０の先端は、記録ヘッド３９及び記録ヘッド３９を搭載するキャリッジ２３の下面から露出されている。以下、ノズル４０の先端が露出された面を「ノズル面」と表記することがある。記録ヘッド３９は、ノズル４０からインクを微小なインク滴として吐出する。キャリッジ２３が移動する過程において、プラテン４２に支持されている用紙１２に向けて記録ヘッド３９がインク滴を吐出する。これにより、用紙１２に画像が記録される。
【００２８】
［プラテン４２］
プラテン４２は、図２及び図３に示されるように、搬送向き１６における搬送ローラ部５４及び排出ローラ部５５の間に配置されている。プラテン４２は、上下方向７において記録部２４に対向するようにして配置されており、搬送ローラ部５４によって搬送される用紙１２を下側から支持する。
【００２９】
［インクタンク１００］
インクタンク１００は、図１に示されるように、複合機１０の内部に収容されている。インクタンク１００は、複合機１０から容易に取り外すことができないように、当該複合機１０に固定されている。より詳細には、インクタンク１００は、複合機１０のケーシングの前面で且つ左右方向９の右端に形成された開口２２を通じて、複合機１０の内部に収容されている。開口２２は、左右方向９において、開口１３と隣接している。但し、インクタンク１００の前面（後述する基壁１０１Ａ及び傾斜壁１０１Ｂの一部）は、前後方向８における開口２２より前方（より詳細には、開口２２を画定するケーシングの前壁より前方）に位置する。複合機１０のケーシングは、開口２２の内部で且つインクタンク１００の下方に位置する支持面２８（図１０参照）を有する。インクタンク１００は、支持面２８に支持されている。
【００３０】
また、複合機１０には、開口２２よりも前方に位置するインクタンク１００の前面を覆うことができる箱形状のカバー７０が設けられている。カバー７０は、開口２２及びインクタンク１００の前壁１０１を覆う被覆位置（図１（Ａ）参照）と、開口２２及びインクタンク１００の前壁１０１を複合機１０の外部に露出させる露出位置（図１（Ｂ）参照）との間を回動可能に、複合機１０のケーシングによって支持されている。カバー７０は、図１０及び図１１に示されるように、上下方向７の下端側において左右方向９に延びる回動軸７１周りに回動可能に、複合機１０のケーシングによって支持されている。本実施形態における回動軸７１は、前後方向８における前壁１０１より前方（すなわち、前壁１０１に対するインク室１１１の反対側）で、且つ上下方向７におけるインクタンク１００より下方に位置している。
【００３１】
インクタンク１００は、図４及び図５に示されるように、概ね直方体の外形を呈する。インクタンク１００は、前壁１０１と、右壁１０２と、左壁１０３と、上壁１０４と、下壁１０５とを有する。一方、インクタンク１００の後面は開放されている。そして、右壁１０２、左壁１０３、上壁１０４、下壁１０５の後端面にフィルム１０６が溶着されることによって、インクタンク１００の後面が封止される。すなわち、フィルム１０６は、インクタンク１００の後壁を構成する。上記構成のインクタンク１００は、例えば、樹脂材料を射出成型することによって一体成型される。例えば、後述するインクタンク１００の内部形状は、インクタンク１００の開放された後面から後ろ向きに引き抜かれる金型（不図示）によって規定される。
【００３２】
上壁１０４は、上下方向７におけるインク室１１１の上端を画定する。下壁１０５は、上下方向７におけるインク室１１１の下端を画定する。立壁の一例である前壁１０１、右壁１０２、及び左壁１０３は、上壁１０４及び下壁１０５の間において、上壁１０４及び下壁１０５と交差する向きに立設されている。また、各壁１０１〜１０５は、インク室１１１内のインクがインクタンク１００の外部から視認可能な程度の透光性を少なくとも有している。
【００３３】
前壁１０１は、下壁１０５から概ね上下方向７に延びる基壁１０１Ａと、基壁１０１Ａの上端において基壁１０１Ａと連続し且つ上下方向７及び前後方向８に対して傾斜された傾斜壁１０１Ｂとで構成されている。傾斜壁１０１Ｂには、傾斜壁１０１Ｂを厚み方向に貫通する注入口１１２が形成されている。傾斜壁１０１Ｂは、基壁１０１Ａに対して後方側（すなわち、インク室１１１側）に傾斜している。より詳細には、インクタンク１００の外部に面する傾斜壁１０１Ｂの外面は、注入口１１２及び基壁１０１Ａの間において、上方に向かってインク室１１１側に単調に傾斜しているのが望ましい。
【００３４】
なお、「上方に向かってインク室１１１側に単調に傾斜する」とは、例えば、上下方向７において連続する２つの面の接続位置が基壁１０１Ａから離れるほど上方に位置する関係、より好ましくは、上下方向７において連続する２つの面（本実施形態では、基壁１０１Ａ及び傾斜壁１０１Ｂの外面）のうち、上方側の面（本実施形態では、傾斜壁１０１Ｂの外面）が下方側の面（本実施形態では、基壁１０１Ａの外面）よりインク室１１１側に傾斜している関係を指す。そして、注入口１１２及び基壁１０１Ａの間の傾斜壁１０１Ｂの外面が傾斜角の異なる複数の面で構成されている場合、上下方向７において連続する２つの面の全ての組み合わせにおいて、上記の関係が成立する（すなわち、上方側の面ほど水平面に近くなる）。
【００３５】
上記の関係が成立する場合、注入口１１２から基壁１０１Ａに至る傾斜壁１０１Ｂの外面には、注入口１１２からこぼれて傾斜壁１０１Ｂの外面を伝うインクを堰き止め得る構成が形成されない。なお、インクを堰き止め得る構成とは、例えば凸部、リブ、凹部、溝、窪み等である。また、注入口１１２及び基壁１０１Ａの間の傾斜壁１０１Ｂの外面は、平面に限定されず、曲面であってもよい。より詳細には、傾斜壁１０１Ｂの外面が外方に膨出する曲面であってもよい。この場合、上方の位置における接線が下方の位置における接線よりインク室１１１側に傾斜していればよい。
【００３６】
［インク室１１１］
インクタンク１００の内部には、図５に示されるように、内部空間を区画する複数の隔壁１０７、１０８、１０９が設けられている。隔壁１０７、１０８、１０９は、各々が上下方向７及び前後方向８に延設されており、前壁１０１、上壁１０４、下壁１０５、及びフィルム１０６に接続されている。また、隔壁１０７〜１０９は、左右方向９に離間して設けられている。その結果、インクタンク１００の内部空間は、左右方向９に隣接する４つのインク室１１１Ｂ、１１１Ｍ、１１１Ｃ、１１１Ｙに区画される。インク室１１１は、ノズル４０から吐出されるインクを貯留する液体貯留室の一例である。
【００３７】
インク室１１１Ｂは、前壁１０１、右壁１０２、上壁１０４、下壁１０５、フィルム１０６、及び隔壁１０７によって画定される空間である。インク室１１１Ｍは、前壁１０１、上壁１０４、下壁１０５、フィルム１０６、及び隔壁１０７、１０８によって画定される空間である。インク室１１１Ｃは、前壁１０１、上壁１０４、下壁１０５、フィルム１０６、及び隔壁１０８、１０９によって画定される空間である。インク室１１１Ｙは、前壁１０１、左壁１０３、上壁１０４、下壁１０５、フィルム１０６、及び隔壁１０９によって画定される空間である。
【００３８】
以下、インク室１１１Ｂ、１１１Ｍ、１１１Ｃ、１１１Ｙを総称して、「インク室１１１」と表記することがある。また、各インク室１１１に対応して４つ設けられた構成要素には、末尾のアルファベット（Ｂ、Ｍ、Ｃ、Ｙ）のみが異なる参照番号を付し、これらを総称する場合に当該アルファベットを省略して表記することがある。
【００３９】
各インク室１１１には、異なる色のインクが貯留される。具体的には、インク室１１１Ｂにはブラックインクが貯留され、インク室１１１Ｃにはシアンインクが貯留され、インク室１１１Ｍにはマゼンタインクが貯留され、インク室１１１Ｙにはイエローインクが貯留される。各色インクは、液体の一例である。但し、インク室１１１の数及びインクの色は上記の例に限定されない。インク室１１１は、左右方向９に沿って配置されている。また、４つのインク室１１１Ｂ、１１１Ｍ、１１１Ｃ、１１１Ｙの中で、インク室１１１Ｂが最も右側に配置され、インク室１１１Ｙが最も左側に配置されている。さらに、インク室１１１Ｂは、他のインク室１１１Ｍ、１１１Ｃ、１１１Ｙより容積が大きい。
【００４０】
［注入口１１２］
インクタンク１００の傾斜壁１０１Ｂには、各インク室１１１にインクを注入するための注入口１１２Ｂ、１１２Ｍ、１１２Ｃ、１１２Ｙが設けられている。注入口１１２は、傾斜壁１０１Ｂを厚み方向に貫通して、対応するインク室１１１をインクタンク１００の外部に連通させる。傾斜壁１０１Ｂは、その内面がインク室１１１に面し、外面がインクタンク１００の外部に面している。傾斜壁１０１Ｂは、外面が内面より上方に位置するように傾斜している。したがって、注入口１１２は、インク室１１１とインクタンク１００の外部とを直接連通させる。すなわち、注入口１１２とインク室１１１との間には、注入口よりも断面積が小さく、且つ屈曲しているような流路は存在しない。また、注入口１１２は、傾斜壁１０１Ｂに代えて上壁１０４に設けられていてもよい。
【００４１】
傾斜壁１０１Ｂ及び傾斜壁１０１Ｂに設けられた注入口１１２は、図１（Ｂ）に示されるように、カバー７０を露出位置に位置させることによって複合機１０の外部に露出される。また、注入口１１２は、開口２２より前方において傾斜壁１０１Ｂに設けられている。本実施形態において、注入口１１２を通じてインク室１１１にインクが注入される際のインクタンク１００の姿勢（注入姿勢）は、複合機１０が使用姿勢にあるときのインクタンク１００の姿勢と一致する。すなわち、複合機１０が使用姿勢にあるときに、注入口１１２を通じてインク室１１１にインクが注入される。本実施形態における注入口１１２は円形状であるが、注入口１１２の形状はこれに限定されず、楕円形状、多角形状等であってもよい。
【００４２】
インクタンク１００は、注入口１１２に対して着脱可能なキャップ１１３Ｂ、１１３Ｍ、１１３Ｃ、１１３Ｙを有する。図１（Ａ）に示されるように、注入口１１２に取り付けられたキャップ１１３は、注入口１１２の周縁に密着して注入口１１２を閉塞させる。一方、図１（Ｂ）に示されるように、注入口１１２から取り外されたキャップ１１３は、注入口１１２を開放する。キャップ１１３は、カバー７０を露出位置に位置させた状態で、注入口１１２に対して着脱される。また、キャップ１１３を注入口１１２から取り外すことによって、インク室１１１にインクが注入可能となる。
【００４３】
［インク流出路１１４］
各インク室１１１には、図６〜図９に示されるように、インク流出路１１４Ｂ、１１４Ｍ、１１４Ｃ、１１４Ｙ（液体流出路の一例）が接続されている。インク流出路１１４は、対応するインク室１１１に貯留されたインクをインクタンク１００の外部に流出させる流路である。本実施形態におけるインク流出路１１４は、対応するインク室１１１からインクタンク１００の右側面（すなわち、右壁１０２の外面）に至る流路である。
【００４４】
インク流出路１１４Ｙは、図７に示されるように、インク室１１１Ｙの右面を画定する隔壁１０９の下端付近に設けられた開口１１５Ｙを通じてインク室１１１Ｙに連通されている。開口１１５Ｙは、下段壁１４６Ｙと接続壁１４７Ｙとで囲まれた位置（より詳細には、上段壁１４５Ｙより下方で、且つ前後方向８における接続壁１４７Ｙ、１４７Ｃの間）において、隔壁１０９に形成されている。また、インク流出路１１４Ｙは、図８に示されるように、右壁１０２に設けられた開口１１６Ｙを通じてインクタンク１００の右側面に至る。より詳細には、インク流出路１１４Ｙは、図９（Ａ）に示されるように、インク室１１１Ｂ、１１１Ｍ、１１１Ｃの前方側において開口１１５Ｙから左右方向９に沿って右方に延設され、右壁１０２を貫通して開口１１６Ｙ（すなわち、インクタンク１００の右側面）に至る。
【００４５】
インク流出路１１４Ｃは、図７に示されるように、インク室１１１Ｃの右面を画定する隔壁１０８の下端付近に設けられた開口１１５Ｃを通じてインク室１１１Ｃに連通されている。開口１１５Ｃは、下段壁１４６Ｃと接続壁１４７Ｃとで囲まれた位置（より詳細には、上段壁１４５Ｃより下方で、且つ前後方向８における接続壁１４７Ｃ、１４７Ｍの間）において、隔壁１０８に形成されている。また、インク流出路１１４Ｃは、図８に示されるように、右壁１０２に設けられた開口１１６Ｃを通じてインクタンク１００の右側面に至る。より詳細には、インク流出路１１４Ｃは、図９（Ａ）に示されるように、インク室１１１Ｂ、１１１Ｍの前方側において開口１１５Ｃから左右方向９に沿って右方に延設され、右壁１０２を貫通して開口１１６Ｃに至る。
【００４６】
インク流出路１１４Ｍは、図７に示されるように、インク室１１１Ｍの右面を画定する隔壁１０７の下端付近に設けられた開口１１５Ｍを通じてインク室１１１Ｍに連通されている。開口１１５Ｍは、下段壁１４６Ｍと接続壁１４７Ｍとで囲まれた位置（より詳細には、上段壁１４５Ｍより下方で、且つ前後方向８における接続壁１４７Ｍ、１４７Ｂの間）において、隔壁１０７に形成されている。また、インク流出路１１４Ｍは、図８に示されるように、右壁１０２に設けられた開口１１６Ｍを通じてインクタンク１００の右側面に至る。より詳細には、インク流出路１１４Ｍは、図９（Ａ）に示されるように、インク室１１１Ｂの前方側において開口１１５Ｍから左右方向９に沿って右方に延設され、右壁１０２を貫通して開口１１６Ｍに至る。
【００４７】
インク流出路１１４Ｂは、図７に示されるように、インク室１１１Ｂの右面及び底面を画定する右壁１０２及び下壁１０５の境界付近に設けられた開口１１５Ｂを通じてインク室１１１Ｂに連通されている。開口１１５Ｂは、下段壁１４６Ｂと接続壁１４７Ｂとで囲まれた位置（すなわち、上段壁１４５Ｂより下方で且つ接続壁１４７Ｂより後方）において、接続壁１４７Ｂに形成されている。開口１１５Ｂの上方には、開口１１５Ｂへのインクの流入向き（すなわち、上下方向７の下向き）に交差する隔壁１１０が設けられている。また、インク流出路１１４Ｂは、図８に示されるように、右壁１０２に設けられた開口１１６Ｂを通じてインクタンク１００の右側面に至る。
【００４８】
インク流出路１１４Ｂは、図６に示されるように、開口１１５Ｍから前後方向８に沿って前方に延設され、インク流出路１１４Ｍ、１１４Ｃ、１１４Ｙより前方で右壁１０２を貫通して開口１１６Ｂに至る。また、前後方向８に延びるインク流出路１１４Ｂは、左右方向９に延びるインク流出路１１４Ｍ、１１４Ｃ、１１４Ｙと交差している。より詳細には、インク流出路１１４Ｂは、左右方向９に延びるインク流出路１１４Ｍ、１１４Ｃ、１１４Ｙの下方を前方に向かって延びている。
【００４９】
なお、図７に示されるように、左側に位置する接続壁１４７ほど前方に配置されている。すなわち、接続壁１４７Ｙは、接続壁１４７Ｂ、１４７Ｍ、１４７Ｃより前方に位置する。接続壁１４７Ｃは、接続壁１４７Ｂ、１４７Ｍより前方に位置する。接続壁１４７Ｍは、接続壁１４７Ｂより前方に位置する。そして、インク流出路１１５Ｙは、上段壁１４５Ｂ、１４５Ｍ、１４５Ｃと接続壁１４７Ｂ、１４７Ｍ、１４７Ｃとで囲まれた空間（すなわち、上段壁１４５Ｂ、１４５Ｍ、１４５Ｃより下方、接続壁１４７Ｂ、１４７Ｍ、１４７Ｃより前方、且つ接続壁１４７Ｙより後方）に設けられている。インク流出路１１５Ｃは、上段壁１４５Ｂ、１４５Ｍと接続壁１４７Ｂ、１４７Ｍとで囲まれた空間（すなわち、上段壁１４５Ｂ、１４５Ｍより下方、接続壁１４７Ｂ、１４７Ｍより前方、且つ接続壁１４７Ｃより前方）に設けられている。インク流出路１１５Ｍは、上段壁１４５Ｂと接続壁１４７Ｂとで囲まれた空間（すなわち、上段壁１４５Ｂより下方、接続壁１４７Ｂより前方、且つ接続壁１４７Ｍより前方）に設けられている。
【００５０】
［インク導出路１１７］
インクタンク１００の右側面には、図８に示されるように、インク導出路１１７Ｂ、１１７Ｍ、１１７Ｃ、１１７Ｙが設けられている。インク導出路１１７Ｂ、１１７Ｍ、１１７Ｃ、１１７Ｙは、一端が開口１１６Ｂ、１１６Ｍ、１１６Ｃ、１１６Ｙの位置で対応するインク流出路１１４Ｂ、１１４Ｍ、１１４Ｃ、１１４Ｙに接続され、他端が連結部１１８Ｂ、１１８Ｍ、１１８Ｃ、１１８Ｙに接続されている。インクタンク１００の上壁１０４に突設された連結部１１８には、各色のインクに対応した４本のインクチューブ３２Ｂ、３２Ｍ、３２Ｃ、３２Ｙ（図３参照）が連結される。すなわち、インク導出路１１７は、対応するインク流出路１１４を通じてインク室１１１から流出されたインクを、対応する連結部１１８に連結されたインクチューブ３２を通じて記録ヘッド３９に導く流路である。なお、各インク導出路１１７及び各インクチューブ３２の容積は、概ね同一である。
【００５１】
インクタンク１００の右壁１０２には、図８に示されるように、複数の突壁１２１Ａ〜１２１Ｉ（これらを総称して、「突壁１２１」と表記することがある。）が設けられている。突壁１２１は、右壁１０２の外面（右側面）から右方に突出し、且つ右壁１０２の外面に沿って延設されている。また、各突壁１２１の右側先端には、フィルム１２２が溶着されている。本実施形態における突壁１２１Ａ〜１２１Ｉには、単一（共通）のフィルム１２２が溶着されている。インク導出路１１７は、隣接する突壁１２１Ａ〜１２１Ｈとフィルム１２２とで区画される空間を指す。
【００５２】
インク導出路１１７Ｂを区画する突壁１２１Ａ、１２１Ｂは、開口１１６Ｂを挟む位置から後方に延び、さらに上方に延びてインクタンク１００の上端部に至る。インク導出路１１７Ｙを区画する突壁１２１Ｃ、１２１Ｄ、インク導出路１１７Ｃを区画する突壁１２１Ｅ、１２１Ｆ、及びインク導出路１１７Ｍを区画する突壁１２１Ｇ、１２１Ｈは、対応する開口１１６Ｙ、１１６Ｃ、１１６Ｍを挟む位置から下方に延び、さらに開口１１６Ｙ、１１６Ｃ、１１６Ｍの後方側を上方に延びてインクタンク１００の上端部に至る。すなわち、インク導出路１１７Ｙ、１１７Ｃ、１１７Ｍは、開口１１６Ｙ、１１６Ｃ、１１６Ｍの下部（「上下方向７の中央より下方」を指す。）において対応するインク流出路１１４Ｙ、１１４Ｃ、１１４Ｍに接続されている。さらに、各インク導出路１１７は、インクタンク１００の内部において上下方向７及び左右方向９に延びる空間（図示省略）を通じて対応する連結部１１８に接続される。
【００５３】
［大気連通路１２６］
各インク室１１１には、図５に示されるように、大気連通路１２６Ｂ、１２６Ｍ、１２６Ｃ、１２６Ｙが接続されている。大気連通路１２６は、対応するインク室１１１を大気に連通させる。より詳細には、大気連通路１２６は、切欠き１２７を通じて対応するインク室１１１に連通され、開口１３２を通じてインクタンク１００の外部に連通されている。大気連通路１２６は、インクタンク１００の内部空間（不図示）を通って、切欠き１２７から開口１３２に至る通路である。大気連通路１２６は、インク室１１１とインクタンク１００の外部との間で空気を流出入させる。
【００５４】
［スリット７２］
カバー７０には、図１（Ａ）に示されるように、スリット７２Ｂ、７２Ｍ、７２Ｃ、７２Ｙが設けられている。スリット７２は、上下方向７に連続する縦長の矩形状である。スリット７２は、カバー７０を被覆位置に位置させた状態において、インクタンク１００の前壁１０１を複合機１０の外部から視認可能にする透過部として機能する。一方、カバー７０のうちのスリット７２と異なる領域は、カバー７０を被覆位置に位置させた状態において、インクタンク１００の前壁１０１を複合機１０の外部から視認不能にする非透過部として機能する。
【００５５】
スリット７２Ｂは、図１０及び図１１に示されるように、カバー７０を厚み方向に貫通する開口７３Ｂと、当該開口７３Ｂを閉塞するフィルム７４Ｂ（透過部材及び薄膜の一例）とで構成されている。フィルム７４Ｂは、光透過性の材料で形成されている。本実施形態におけるフィルム７４Ｂは、カバー７０の外面（すなわち、前壁１０１と対面するカバー７０の内面と反対側の面）側において、開口７３Ｂの周縁に貼付されている。その結果、前壁１０１とフィルム７４Ｂとは、前後方向８において互いに離間している。スリット７２Ｍ、７２Ｃ、７２Ｙの構成は、スリット７２Ｂと共通する。但し、スリット７２の具体的な構成はこれに限定されない。
【００５６】
各スリット７２は、図１２に示されるようにカバー７０を被覆位置に位置させた状態において、対応する注入口１１２の下端（本実施形態では、円形状の注入口１１２の開口の中心）を通り且つ前壁１０１の外面に沿って上下方向７に延びる第１仮想線１５１Ｂ、１５１Ｍ、１５１Ｃ、１５１Ｙ（図１２の一点鎖線）に対して左右方向９の一方（本実施形態では、右方）にずれた位置に設けられている。換言すれば、第１仮想線１５１を含む前壁１０１の領域は、被覆位置のカバー７０の非透過部と対面する。また、各スリット７２は、対応する注入口１１２の右端を通り且つ前壁１０１の外面に沿って上下方向７に延びる第２仮想線１５２Ｂ、１５２Ｍ、１５２Ｃ、１５２Ｙ（図１２の一点鎖線）を左右方向９に跨ぐ位置に設けられている。
【００５７】
［インク収容部７５］
また、カバー７０の内面（すなわち、露出位置におけるカバー７０の上面）には、図１０及び図１１に示されるように、インク収容部７５（液体収容部の一例）が設けられている。インク収容部７５は、図１０に示されるように、カバー７０の非透過部に設けられている。また、インク収容部７５は、図１１に示されるように、露出位置におけるカバー７０の回動軸７１より後方側（すなわち、インク室１１１に近い側）に設けられている。また、インク収容部７５は、カバー７０を露出位置に位置させた状態において、上下方向７における注入口１１２の下方で且つ前後方向８における前壁１０１とカバー７０の間に配置される。さらに、インク収容部７５は、カバー７０を露出位置に位置させた状態において、各第１仮想線１５１が通過する位置に設けられている。
【００５８】
インク収容部７５は、カバー７０の内面に突設され且つ左右方向９に延設された一対のリブ７５Ａ、７５Ｂによって区画されている。また、インク収容部７５には、インク吸収部材７６（液体吸収部材）が充填されている。カバー７０を露出位置に位置させた状態において、インク吸収部材７６の上面は、露出されている。インク吸収部材７６は、例えば、発泡ポリウレタンなどの多孔材料で形成されている。
【００５９】
［本実施形態の作用効果］
上記構成の複合機１０において、例えば図１２に示されるように、注入口１１２を通じてインク室１１１にインクを注入する際に、少量のインクが注入口１１２からインクタンク１００の外部にこぼれる場合を考える。注入口１１２からこぼれるインクが少量の場合、当該インクは、インクタンク１００の外方と連通される注入口１１２の開口の下端からインクタンク１００の外部に漏れ出し、第１仮想線１５１に沿って前壁１０１の外面を伝い落ちる。すなわち、第１仮想線１５１を含む前壁１０１の外面がインクによって汚染される。
【００６０】
そこで、上記の実施形態によれば、前壁１０１の外面のうちの第１仮想線１５１を含む領域が、被覆位置のカバー７０の非透過部で覆われる。これにより、前壁１０１の外面のインクによる汚染を複合機１０の外部から見えにくくすることができる。一方、前壁１０１の外面のうちの第１仮想線１５１に対して左右方向にずれた位置に、被覆位置のカバー７０のスリット７２が対面される。これにより、複合機１０の外部からのインク室１１の内部の視認性が低下することを抑制することができる。
【００６１】
また、上記の実施形態によれば、前壁１０１の外面のうちの第２仮想線１５２を跨ぐ領域にスリット７２を対面させている。これにより、例えば第１仮想線１５１から左右方向９にずれた位置において注入口１１２からインクがこぼれたとしても、複合機１０の外部からインク室１１１の内部が完全に視認できなくなることを抑制できる。
【００６２】
特に、コンパクト化のために各インク室１１１の左右方向９の長さを短くした場合において、隔壁１０７〜１０９と第１仮想線１５１との間の距離が短くなり、スリット７２のスペースを確保することが困難になる。そこで上記の実施形態によれば、前壁１０１の外面のうちの第２仮想線１５２を跨ぐ領域にスリット７２を対面させつつ、第１仮想線１５１からずれた位置にスリット７２を設けることができる。その結果、左右方向９におけるスリット７２の幅を大きくして視認性をよくしつつ、インク室１１１の内部が完全に視認できなくなることを抑制できる。但し、スリット７２の位置はこれに限定されず、例えば、前壁１０１の外面のうちの第１仮想線１５１及び第２仮想線１５２の間の領域にスリット７２が対面されてもよい。
【００６３】
また、透過部として機能するスリット７２を上下方向７に連続する縦長の矩形状としたことにより、複合機１０の外部からインク室１１１内のインク残量を把握しやすくなる。但し、透過部の形状はこれに限定されず、例えば、複数の透過部が上下方向７に離散的に配列されていてもよい。また、透過部を構成するフィルム７４を前壁１０１の外面から離間させたので、フィルム７４が汚染されることによる視認性の低下を抑制することができる。なお、図１１に示されるように、被覆位置のカバー７０の内面と前壁１０１の外面とを離間させることにより、さらにカバー７０の汚染を抑制することができる。
【００６４】
また、注入口１１２から前壁１０１の外面を伝い落ちたインクは、インク収容部７５のインク吸収部材７６に吸収される。その結果、当該インクが複合機１０の外部に漏れ出すことを抑制できる。さらに、カバー７０の非透過部にインク収容部７５を設けたので、カバー７０を被覆位置に位置させた状態において、複合機１０の外部からインク収容部７５及びインク吸収部材７６が見えにくくなる。なお、インク収容部７５の位置は、前壁１０１の外面を伝い落ちるインクを収容可能であれば、カバー７０の内面に限定されない。インク収容部７５は、例えば、複合機１０のケーシングの支持面２８に設けられていてもよいし、基壁１０１Ａの外面で且つ被覆位置のカバー７０の非透過部に対面する位置に設けられていてもよい。
【００６５】
［変形例１］
図１３を参照して、変形例１に係るインクタンク１００Ａを説明する。なお、上記の実施形態と共通する構成には同一の参照番号を付して詳しい説明を省略し、相違点を中心に説明する。変形例１に係るインクタンク１００Ａは、前壁１０１の外面に目盛り線１６１Ｂ、１６１Ｍ、１６１Ｃ、１６１Ｙ（指示部の一例）が設けられている点において、上記の実施形態に係るインクタンク１００と相違する。目盛り線１６１は、インク室１１１に貯留されたインクの量を示すための線である。目盛り線１６１は、各々が左右方向９に沿って延び、且つ上下方向７において互いに離間した複数の線によって構成されている。
【００６６】
目盛り線１６１は、図１３に示されるように、第１仮想線１５１に対して左右方向９の一方（変形例１では、右方）にずれた位置において、基壁１０１Ａの外面に設けられている。また、本実施形態に係る目盛り線１６１の一部は、左右方向９において、第２仮想線１５２に対して第１仮想線と反対側に設けられている。また、目盛り線１６１Ｍは、左右方向９における第１仮想線１５１Ｂ、１５１Ｍの間に設けられている。同様に、目盛り線１６１Ｃは、左右方向９における第１仮想線１５１Ｍ、１５１Ｃの間に設けられている。同様に、目盛り線１６１Ｙは、左右方向９における第１仮想線１５１Ｃ、１５１Ｙの間に設けられている。
【００６７】
変形例１の構成によれば、注入口１１２からこぼれた少量のインクによって目盛り線１６１が汚染されることを抑制することができる。その結果、目盛り線１６１の位置においてインク室１１１の内部の視認性が低下することを抑制することができる。なお、上記の実施形態のように、被覆位置のカバー７０のスリット７２と目盛り線１６１とを対面させてもよい。なお、変形例１では、指示部の一例として目盛り線１６１を説明したが、指示部の具体例はこれに限定されない。例えば、対応するインク室１１１内に貯留されるインクの色を示す情報等、インク室１１１に貯留されるインクに関するあらゆる情報を示すものであってよい。
【００６８】
［変形例２］
図１４を参照して、変形例２に係るインクタンク１００Ｂを説明する。なお、上記の実施形態と共通する構成には同一の参照番号を付して詳しい説明を省略し、相違点を中心に説明する。変形例２に係るインクタンク１００Ｂは、非透過部１６２Ｂ、１６２Ｍ、１６２Ｃ、１６２Ｙ及び透過部１６３が前壁１０１の外面に設けられている点において、上記の実施形態に係るインクタンク１００と相違する。非透過部１６２は、インクタンク１００Ｂの外部からインク室１１１の内部を視認不能にする領域である。透過部１６２は、インクタンク１００Ｂの外部からインク室１１１の内部を視認可能にする領域である。
【００６９】
非透過部１６２は、前壁１０１の外面のうちの第１仮想線１５１を含む領域（図１４のハッチングされた領域）に設けられている。より詳細には、非透過部１６２は、左右方向９において、一対の第２仮想線１５２、１５３の間に設けられている。また、非透過部１６２は、上下方向７において、注入口１１２の下方における前壁１０１の全域に設けられている。なお、図１４に示される第２仮想線１５３Ｂ、１５３Ｍ、１５３Ｃ、１５３Ｙは、対応する注入口１１２の左端を通り且つ前壁１０１の外面に沿って上下方向７に延びる仮想線である。
【００７０】
透過部１６３は、第１仮想線１５１に対して左右方向９の一方にずれた位置において、前壁１０１の外面に設けられている。変形例２に係る透過部１６３は、前壁１０１の外面のうちの非透過部１６２でない領域を指す。すなわち、前壁１０１の外面は、非透過部１６２と透過部１６３とに区分されている。なお、上記の実施形態のように、被覆位置のカバー７０のスリット７２と透過部１６３とを対面させてもよい。
【００７１】
非透過部１６２の形成方法は特に限定されないが、例えば、所定の色のインクで前壁１０１の外面を塗装してもよいし、所定の色のシールを前壁１０１の外面に貼付してもよい。非透過部１６２の色は、例えば、黒色であってもよいし、対応するインク室１１１に貯留されるインクと同系色であってもよいし、対応するインク室１１１に貯留されるインクより濃い（例えば、明度が低い、或いは光反射率が低い）色であってもよい。なお、同系色とは、例えば、色相環において当該色に隣接する色である。
【００７２】
変形例２によれば、注入口１１２からこぼれたインクによって透過部１６３が汚染されることを抑制することができる。その結果、透過部１６３を通じたインク室１１１の内部の視認性が低下することを抑制することができる。また、注入口１１２からこぼれたインクによる非透過部１６２の汚染を目立たなくすることができる。
【００７３】
さらに、上記の実施形態及び変形例１、２では、インクを液体の一例として説明したが、本発明はこれに限定されない。すなわち、インクに代えて、印刷時にインクに先立って記録用紙に吐出される前処理液、或いは記録ヘッド３９のノズル４０の乾燥を防止するために記録ヘッド３９のノズル４０近傍に噴霧される水等を液体としてもよい。なお、本発明は、有色の液体を貯留するタンクを備える液体消費装置に適用することによって、特に有利な効果を奏する。
【符号の説明】
【００７４】
１０・・・複合機
２４・・・記録部
７０・・・カバー
７２・・・スリット
７３Ｂ・・・開口
７４Ｂ・・・フィルム
７５・・・インク収容部
７６・・・インク吸収部材
１００・・・インクタンク
１０１・・・前壁
１０１Ａ・・・基壁
１０１Ｂ・・・傾斜壁
１１１・・・インク室
１１２・・・注入口
１５１・・・第１仮想線
１５２，１５３・・・第２仮想線
１６１・・・目盛り線
１６２・・・非透過部
１６３・・・透過部
【図１】
0006413430.tif 000002
【図２】
0006413430.tif 000003
【図３】
0006413430.tif 000004
【図４】
0006413430.tif 000005
【図５】
0006413430.tif 000006
【図６】
0006413430.tif 000007
【図７】
0006413430.tif 000008
【図８】
0006413430.tif 000009
【図９】
0006413430.tif 000010
【図１０】
0006413430.tif 000011
【図１１】
0006413430.tif 000012
【図１２】
0006413430.tif 000013
【図１３】
0006413430.tif 000014
【図１４】
0006413430.tif 000015